【手続補正書】
【提出日】平成19年12月20日(2007.12.20)
【手続補正１】
【補正対象書類名】明細書
【補正対象項目名】特許請求の範囲
【補正方法】変更
【補正の内容】
【特許請求の範囲】
【請求項１】  バイナリデータとメタデータを含んで構成される検索対象データを登録したデータベースを用いて検索対象データを検索するデータ検索装置であって、
設定された検索条件と、前記データベースに登録された各検索対象データに含まれるメタデータとに基づいて検索対象データを検索する検索手段と、
前記検索手段の実行に際して表示対象となった検索対象データについて、前記データベースの登録内容と実在する検索対象データを整合させる整合手段と
を備えることを特徴とするデータ検索装置。
【請求項２】  前記メタデータはデータ記述言語で記述されている
ことを特徴とする請求項１に記載のデータ検索装置。
【請求項３】  前記データ記述言語は、ＸＭＬ、ＳＧＭＬ、ＨＴＭＬのいずれかである
ことを特徴とする請求項２に記載のデータ検索装置。
【請求項４】  前記メタデータが前記バイナリデータの後ろに接続されている
ことを特徴とする請求項１乃至３のいずれかに記載のデータ検索装置。
【請求項５】  前記バイナリデータは、静止画像データ、動画像データ、音声データのいずれかである
ことを特徴とする請求項１に記載のデータ検索装置。
【請求項６】  前記検索手段は、
前記データベースに登録された検索対象のデータから所定数の検索対象データを選択して、これらを示す情報の一覧表示をする一覧表示手段と、
前記一覧表示の中から選択された情報に対応する検索対象データに含まれるメタデータの内容を表示するメタデータ表示手段と、
前記メタデータ表示手段で表示された内容から検索条件を設定する設定手段と、
前記設定手段で設定された検索条件に基づいて前記データベースに登録された検索対象データの検索を実行する実行手段とを備え、
前記整合手段は、前記一覧表示手段において、前記データベースに実在しない検索対象データを示す情報を表示しようとした場合に、当該表示を禁止するとともに、該データベースより当該検索対象データの登録を抹消する
ことを特徴とする請求項１に記載のデータ検索装置。
【請求項７】  前記一覧表示手段は、前記実行手段の実行後は、得られた検索結果を対象として一覧表示を行う
ことを特徴とする請求項６に記載のデータ検索装置。
【請求項８】  前記一覧表示手段は、前記検索対象データに対応するサムネイルを一覧表示する
ことを特徴とする請求項６又は７に記載のデータ検索装置。
【請求項９】  前記一覧表示手段は、前記検索対象データに対応するファイル名を一覧表示する
ことを特徴とする請求項６又は７に記載のデータ検索装置。
【請求項１０】  前記設定手段は、キーワードを直接入力することにより検索条件を設定することが可能である
ことを特徴とする請求項６に記載のデータ検索装置。
【請求項１１】  前記検索手段は、所定の論理領域に格納されている、前記データベースに登録されていない検索対象データに対しても検索を行い、
前記整合手段は、前記所定の論理領域に格納された前記データベースに登録されていない検索対象データを、前記データベースに追加登録する
ことを特徴とする請求項６に記載のデータ検索装置。
【請求項１２】  前記整合手段による追加登録は、バイナリデータに付属するメタデータに基づいてなされる
ことを特徴とする請求項１１に記載のデータ検索装置。
【請求項１３】  バイナリデータとメタデータを含んで構成される検索対象データを登録したデータベースを用いて検索対象データを検索するデータ検索方法であって、
設定された検索条件と、前記データベースに登録された各検索対象データに含まれるメタデータとに基づいて検索対象データを検索する検索工程と、
前記検索工程の実行に際して表示対象となった検索対象データについて、前記データベースの登録内容と実在する検索対象データを整合させる整合工程と
を備えることを特徴とするデータ検索方法。
【請求項１４】  前記メタデータはデータ記述言語で記述されている
ことを特徴とする請求項１３に記載のデータ検索方法。
【請求項１５】  前記データ記述言語は、ＸＭＬ、ＳＧＭＬ、ＨＴＭＬのいずれかである
ことを特徴とする請求項１４に記載のデータ検索方法。
【請求項１６】  前記メタデータが前記バイナリデータの後ろに接続されている
ことを特徴とする請求項１３乃至１５のいずれかに記載のデータ検索方法。
【請求項１７】  前記バイナリデータは、静止画像データ、動画像データ、音声データのいずれかである
ことを特徴とする請求項１３に記載のデータ検索方法。
【請求項１８】  前記検索工程は、
前記データベースに登録された検索対象のデータから所定数の検索対象データを選択して、これらを示す情報の一覧表示をする一覧表示工程と、
前記一覧表示の中から選択された情報に対応する検索対象データに含まれるメタデータの内容を表示するメタデータ表示工程と、
前記メタデータ表示工程で表示された内容から検索条件を設定する設定工程と、
前記設定工程で設定された検索条件に基づいて前記データベースに登録された検索対象データの検索を実行する実行工程とを備え、
前記整合工程は、前記一覧表示工程において、前記データベースに実在しない検索対象データを示す情報を表示しようとした場合に、当該表示を禁止するとともに、該データベースより当該検索対象データの登録を抹消する
ことを特徴とする請求項１３に記載のデータ検索方法。
【請求項１９】  前記一覧表示工程は、前記実行工程の実行後は、得られた検索結果を対象として一覧表示を行う
ことを特徴とする請求項１８に記載のデータ検索方法。
【請求項２０】  前記一覧表示工程は、前記検索対象データに対応するサムネイルを一覧表示する
ことを特徴とする請求項１８又は１９に記載のデータ検索方法。
【請求項２１】  前記一覧表示工程は、前記検索対象データに対応するファイル名を一覧表示する
ことを特徴とする請求項１８又は１９に記載のデータ検索方法。
【請求項２２】  前記設定工程は、キーワードを直接入力することにより検索条件を設定することが可能である
ことを特徴とする請求項１８に記載のデータ検索方法。
【請求項２３】  前記検索工程は、所定の論理領域に格納されている、前記データベースに登録されていない検索対象データに対しても検索を行い、
前記整合工程は、前記所定の論理領域に格納された前記データベースに登録されていない検索対象データを、前記データベースに追加登録する
ことを特徴とする請求項１８に記載のデータ検索方法。
【請求項２４】  前記整合工程による追加登録は、バイナリデータに付属するメタデータに基づいてなされる
ことを特徴とする請求項２３に記載のデータ検索方法。
【請求項２５】  請求項１３乃至２４のいずれか１項に記載の方法をコンピュータに実行させるための制御プログラムを格納したことを特徴とする記憶媒体。
【手続補正２】
【補正対象書類名】明細書
【補正対象項目名】０００５
【補正方法】変更
【補正の内容】
【０００５】
【課題を解決するための手段】  
上記の目的を達成するために、本発明の一態様によるデータ検索装置はたとえば以下の構成を備える。すなわち、
バイナリデータとメタデータを含んで構成される検索対象データを登録したデータベースを用いて検索対象データを検索するデータ検索装置であって、
設定された検索条件と、前記データベースに登録された各検索対象データに含まれるメタデータとに基づいて検索対象データを検索する検索手段と、
前記検索手段の実行に際して表示対象となった検索対象データについて、前記データベースの登録内容と実在する検索対象データを整合させる整合手段とを備える。
【手続補正３】
【補正対象書類名】明細書
【補正対象項目名】０００６
【補正方法】変更
【補正の内容】
【０００６】
また、上記の目的を達成するために、本発明の他の態様によるデータ検索方法は、
バイナリデータとメタデータを含んで構成される検索対象データを登録したデータベースを用いて検索対象データを検索するデータ検索方法であって、
設定された検索条件と、前記データベースに登録された各検索対象データに含まれるメタデータとに基づいて検索対象データを検索する検索工程と、
前記検索工程の実行に際して表示対象となった検索対象データについて、前記データベースの登録内容と実在する検索対象データを整合させる整合工程とを備える。